(57)【要約】【課題】ベースとカバーとを位置決めし易く、ベースとカバーとの組み付け作業性に優れるハーネスプロテクタを提供する。【解決手段】ハーネスプロテクタ１は、開口部２１及びワイヤーハーネス１０の収納空間２２を有するベース２と、ベース２と独立して形成され、ベース２の開口部２１を閉じるカバー３とを備える。ベース２及びカバー３は、互いに嵌合することでベース２とカバー３との互いの位置を位置決めする位置決め機構４を備える。位置決め機構４は、ベース２又はカバー３の一方に一体成形され、カバー２の開閉方向に沿って突出する嵌合突部４１と、ベース２又はカバー３の他方に一体成形され、嵌合突部４１が挿通されて、開閉方向と交差する方向へのベース２とカバー３との相対的な位置ずれを規制する嵌合壁部４２とを有する。【選択図】図２
2019103156.tif 000002
【特許請求の範囲】
【請求項１】
開口部及びワイヤーハーネスの収納空間を有するベースと、前記ベースと独立して形成され、前記ベースの開口部を閉じるカバーとを備えるハーネスプロテクタであって、
前記ベース及び前記カバーは、互いに嵌合することで前記ベースと前記カバーとの互いの位置を位置決めする位置決め機構を備え、
前記位置決め機構は、
前記ベース又は前記カバーの一方に一体成形され、前記カバーの開閉方向に沿って突出する嵌合突部と、
前記ベース又は前記カバーの他方に一体成形され、前記嵌合突部が挿通されて、前記開閉方向と交差する方向への前記ベースと前記カバーとの相対的な位置ずれを規制する嵌合壁部とを有するハーネスプロテクタ。
【発明の詳細な説明】
【技術分野】
【０００１】
本発明は、ハーネスプロテクタに関する。特に、ベースとカバーとを位置決めし易く、ベースとカバーとの組み付け作業性に優れるハーネスプロテクタに関する。
【背景技術】
【０００２】
自動車のワイヤーハーネスを収納して保護するハーネスプロテクタとして、特許文献１のプロテクタが知られている。特許文献１のプロテクタは、ワイヤーハーネスが収納されるベース材と、ベース材の開口部を覆うカバー材とを備える。ベース材とカバー材とは、互いに独立して形成され、ベース材に設けたカバー固定枠内にカバー材に設けたカバー係止片を挿通して係合させることで互いに固定している。
【先行技術文献】
【特許文献】
【０００３】
【特許文献１】特開２０１７−１０８５３１号公報
【発明の概要】
【発明が解決しようとする課題】
【０００４】
ハーネスプロテクタは、ベースとカバーとの位置合わせがし難く、ベースとカバーとの組み付け作業が煩雑になり易い。特に、ハーネスプロテクタが長尺になるほど、ハーネスプロテクタの形状が複数の屈曲部を有する三次元形状など複雑な形状になるほど、上記位置合わせが難しく、延いては上記組み付け作業が煩雑になる。
【０００５】
本発明の目的の一つは、ベースとカバーとを位置決めし易く、ベースとカバーとの組み付け作業性に優れるハーネスプロテクタを提供することにある。
【課題を解決するための手段】
【０００６】
本発明の一態様に係るハーネスプロテクタは、
開口部及びワイヤーハーネスの収納空間を有するベースと、前記ベースと独立して形成され、前記ベースの開口部を閉じるカバーとを備えるハーネスプロテクタであって、
前記ベース及び前記カバーは、互いに嵌合することで前記ベースと前記カバーとの互いの位置を位置決めする位置決め機構を備え、
前記位置決め機構は、
前記ベース又は前記カバーの一方に一体成形され、前記カバーの開閉方向に沿って突出する嵌合突部と、
前記ベース又は前記カバーの他方に一体成形され、前記嵌合突部が挿通されて、前記開閉方向と交差する方向への前記ベースと前記カバーとの相対的な位置ずれを規制する嵌合壁部とを有する。
【発明の効果】
【０００７】
上記ハーネスプロテクタは、ベースとカバーとを位置決めし易く、ベースとカバーとの組み付け作業性に優れる。カバーをベースの開口部に取り付ける際、まず、嵌合突部を嵌合壁部に挿通させて位置決め機構付近のベースとカバーとを位置決めすることで、ベースとカバーとにおける位置決め機構から離れた箇所の位置決めもできる。そのため、順次、位置決め機構から離れた箇所に向かってベースとカバーとが位置ずれすることなくベースとカバーとを組み付けられる。
【図面の簡単な説明】
【０００８】
【図１】実施形態１に係るハーネスプロテクタの概略を示す斜視図である。
【図２】実施形態１に係るハーネスプロテクタに備わる位置決め機構近傍の概略を拡大して示す斜視図である。
【図３】実施形態１に係るハーネスプロテクタに備わる位置決め機構近傍の概略を拡大して示す分解斜視図である。
【図４】実施形態１に係るハーネスプロテクタに備わる位置決め機構近傍の概略を拡大して示す上面図である。
【図５】図２に示すハーネスプロテクタの（Ｖ）−（Ｖ）切断線で切断した状態を示す断面図である。
【発明を実施するための形態】
【０００９】
本発明のハーネスプロテクタの実施形態１を、図１〜図５を参照しつつ以下に説明する。図中の同一符号は同一名称物を示す。
【００１０】
《実施形態１》
〔ハーネスプロテクタ〕
実施形態１に係るハーネスプロテクタ１は、ワイヤーハーネス１０の外周を囲んで、ワイヤーハーネス１０を機械的に保護する。ワイヤーハーネス１０は、束ねられた複数の電線を有するもので、図１〜図５では、説明の便宜上、複数の電線を纏めて一つのものとして簡略化して二点鎖線で示す。このワイヤーハーネス１０は、公知のものを利用できる。ハーネスプロテクタ１は、開口部２１（図３，図５）及びワイヤーハーネス１０の収納空間２２（図５）を有するベース２と、ベース２の開口部２１を閉じるカバー３とを備える。このハーネスプロテクタ１の特徴の一つは、ベース２とカバー３が、互いに嵌合することでベース２とカバー３との互いの位置を位置決めする特定の位置決め機構４を備える点にある。以下、各構成を詳細に説明する。図２、図３は、説明の便宜上、ベース２とカバー３の一部を断面で示している。
【００１１】
［ベース］
ベース２は、ワイヤーハーネス１０を収納し、ワイヤーハーネス１０の外周の一部を覆う（図１〜３，図５）。ベース２は、開口部２１（図３，図５）とワイヤーハーネス１０の収納空間２２（図５）とを有し、ワイヤーハーネス１０をこの開口部２１から収納空間２２に入れて収納する。ベース２の形状は、ワイヤーハーネス１０の配索に応じて適宜選択できる。本例のベース２の形状は、長手方向に複数の屈曲部を有する三次元形状である（図１）。具体的には、このベース２は、ベース２（後述の底部２３）の厚み方向に屈曲する屈曲部と、長手方向と厚み方向の両方向に交差する方向に屈曲する屈曲部とを有する。ベース２の横断面形状は、Ｕ字状であり、ベース２は、ワイヤーハーネス１０の長手に沿う底部２３と、底部２３の両側から立設する両側部２４とを有する（図２，図３，図５）。開口部２１は、底部２３の反対側に両側部２４の端縁同士の間で形成され、収納空間２２は、底部２３と両側部２４とで囲まれる空間である。ベース２の長手方向の両端は、ワイヤーハーネス１０が引き出されるように開口している（図１）。本例のベース２には、詳しくは後述するが、更に、位置決め機構４の一部を構成する嵌合突部４１と、係合機構５の一部を構成する係合枠部５１とが形成されている。ベース２の材質は、適宜選択でき、例えば、ポリプロピレン樹脂などが挙げられる。
【００１２】
［カバー］
カバー３は、ベース２の開口部２１（図３，図５）を閉じて、ベース２により覆われないワイヤーハーネス１０の外周の残部を覆う（図２，図５）。カバー３の形状は、ベース２の形状に沿った形状であり、ベース２と同様、長手方向に複数の屈曲部を有する三次元形状である（図１）。具体的には、カバー３は、カバー３（後述の天部３１）の厚み方向に屈曲する屈曲部と、その長手方向と厚さ方向の両方向に交差する方向に屈曲する屈曲部とを有する。カバー３の横断面形状は、］字状であり、カバー３は、底部２３に対向する天部３１と、天部３１の両側から底部２３側に突出してベース２の両側部２４の外側に重複するように立設する両側部３２とを有する（図２，図３，図５）。本例のカバー３には、詳しくは後述するが、更に、位置決め機構４の残部を構成する嵌合壁部４２と、係合機構５の残部を構成する係合爪部５２とが形成されている。カバー３の材質は、ベース２と同様の樹脂が挙げられる。
【００１３】
［位置決め機構］
位置決め機構４は、互いに嵌合することでベース２とカバー３との互いの位置を位置決めする。位置決め機構４の数は、本例では１つとしているが（図１）、２つ以上とすることが好ましい。位置決め機構４の形成箇所は、本例ではハーネスプロテクタ１の長手方向の一端側としているが、位置決め機構４の数を２つ以上とする場合、少なくともハーネスプロテクタ１の長手方向の一端側と他端側とすることが好ましい。位置決め機構４をハーネスプロテクタ１の長手方向の一端側と他端側の２箇所に設ければ、ベース２とカバー３の長手方向の両端を位置決めできるため、ハーネスプロテクタ１の長手方向の全長に亘ってベース２とカバー３との位置ずれが実質的に生じない上に、ベース２とカバー３との組み付け作業を非常に簡単にできる。
【００１４】
位置決め機構４は、嵌合突部４１と嵌合壁部４２とを有する（図２〜図５）。嵌合突部４１は、ベース２又はカバー３の一方に一体成形され、嵌合壁部４２は、ベース２又はカバー３の他方に一体成形される。本例では、嵌合突部４１は、ベース２に一体成形され、嵌合壁部４２は、カバー３に一体成形されているが、本例とは反対に、嵌合突部４１は、カバー３に一体成形され、嵌合壁部４２は、ベース２に一体成形されていてもよい。
【００１５】
（嵌合突部）
嵌合突部４１は、ベース２からカバー３の開閉方向に沿って突出する（図２，図３，図５）。開閉方向とは、本例ではカバー３の天部３１（ベース２の底部２３）に直交する方向（図２，図３，図５紙面上下方向、図４紙面垂直方向）である。本例の嵌合突部４１は、平板状片で構成され、ベース２の側部２４の一端から開閉方向に沿って延びるように側部２４と一体成形されている（図３，図５）。
【００１６】
（嵌合壁部）
嵌合壁部４２は、嵌合突部４１が挿通されて、上記開閉方向との交差方向へのベース２とカバー３との相対的な位置ずれを規制する（図２，図３）。嵌合壁部４２は、カバー３の天部３１から上記開閉方向に沿って延びるように天部３１に一体成形されている（図５）。本例の嵌合壁部４２は、１つのＣ字状片で構成し、嵌合突部４１の周方向の一部（本例では嵌合突部４１の外側面の一部）が露出するように開口している（図３）。このように、嵌合壁部４２は、嵌合突部４１の周方向の大部分を覆うことで、嵌合突部４１の剛性を高めることができる。そのため、本例のように後述する取付部６を嵌合突部４１と一体成形しても、取付部６の車両の取付対象（図示略）への固定に伴って嵌合突部４１に作用する負荷に耐えることができる。なお、嵌合壁部４２は、嵌合突部４１の周方向の全周を覆う筒状片で構成していてもよいし、２つのＣ字状片を互いの開口側を嵌合突部４１の幅方向に対向配置させて構成し、嵌合突部４１の周方向の２箇所（嵌合突部４１の外側面の一部と内側面の一部の２箇所）が露出するように開口していてもよい。
【００１７】
［その他］
本例のハーネスプロテクタ１は、更に、係合機構５と取付部６と補強部７を備える。
【００１８】
（係合機構）
係合機構５は、互いに係合することでベース２とカバー３とを互いに外れないように固定する。係合機構５の数と形成箇所は、ハーネスプロテクタ１の長さなどに応じて適宜選択できる。本例では、係合機構５の数は複数とし、複数の係合機構５は互いに適当な間隔を開けて設けている（図１）。
【００１９】
本例の係合機構５は、係合枠部５１と係合爪部５２とを有する（図２，図３）。係合枠部５１は、ベース２又はカバー３の一方に一体成形され、係合爪部５２は、ベース２又はカバー３の他方に一体成形される。本例の係合枠部５１はベース２に一体成形され、係合爪部５２はカバー３に一体に成形されているが、本例と反対に、係合枠部５１はカバー３に一体成形され、係合爪部５２はベース２に一体成形されていてもよい。
【００２０】
係合枠部５１は、ベース２の両側部２４の外側面に一体成形される。係合枠部５１の形状は、Ｃ字状であり、この係合枠部５１は、側部２４の外側面との間に係合爪部５２を挿通させる挿通孔５３を形成する（図３）。係合爪部５２は、カバー３の両側部３２から上記開閉方向に沿って延びるように側部３２に一体成形される。係合爪部５２の形状は、その先端側ほど厚みが薄くなるように傾斜する傾斜面を有するくさび状である。そのため、係合爪部５２は、挿通孔５３をベース２の開口部２１（図３）側から底部２３側に向かって挿通すると、係合枠部５１の底部２３側の面に引っ掛かる。それにより、カバー３のベース２から離れる方向への移動が規制され、ベース２とカバー３とが固定される。
【００２１】
（取付部）
取付部６は、ハーネスプロテクタ１自体を車両の取付対象（図示略）に固定する。取付部６は、ベース２又はカバー３の一方に一体成形することが挙げられる。本例の取付部６は、ベース２に備わる位置決め機構４（嵌合突部４１の外側面の嵌合壁部４２から露出する箇所）に一体成形されているが（図２，図３）、カバー３に備わる位置決め機構４（嵌合壁部４２）に一体成形されていてもよい。取付部６をベース２における位置決め機構４（嵌合突部４１）に一体成形することで、ハーネスプロテクタ１を車両に強固に固定し易い。取付部６は、嵌合突部４１の外側面の上記露出箇所からその外側面と交差（直交）する方向に突出している。取付部６の形状は、車両の取付対象に応じて適宜選択でき、本例ではその先端側ほど厚みが薄くなるように傾斜する傾斜面を有するくさび状である。
【００２２】
（補強部）
補強部７は、取付部６が設けられる部材を補強する。取付部６が設けられる部材にはハーネスプロテクタ１の自重などによる大きな負荷が掛かり易い。そのため、補強部７を備えることで、取付部６の車両の取付対象への固定に伴って取付部６が設けられる部材に作用する負荷に耐えることができる。本例の補強部７は、ベース２に備わる位置決め機構４（嵌合突部４１）を補強する（図２，図３）。補強部７の形状は、嵌合突部４１を補強できれば特に限定されず適宜選択できる。本例の補強部７は、嵌合突部４１の外側面からその外側面に交差（直交）する方向に突出する突条のリブで構成されている。リブの断面形状は、三角状、矩形状、半円状など適宜選択できる。補強部７の数は、本例では複数（２本）としているが、単数でもよい。２つの補強部７は、取付部６を挟むように嵌合突部４１の外側面における嵌合壁部４２に干渉しない位置に一体成形されている。本例では、各補強部７は、嵌合突部４１の外側面からベース２の側部２４の外側面に亘って一連に形成されている。補強部７を嵌合突部４１の外側面に設けることで、ワイヤーハーネス１０をベース２の収納空間２２に収納する際、補強部７とワイヤーハーネス１０とが干渉しないため、ワイヤーハーネス１０を収納空間２２に収納し易い。
【００２３】
［用途］
実施形態１に係るハーネスプロテクタ１は、自動車用のワイヤーハーネスを機械的に保護するハーネスプロテクタに好適に利用できる。特に、実施形態１に係るハーネスプロテクタ１は、車両の外側に配索されるワイヤーハーネスを保護するハーネスプロテクタや、大電流・大電圧用途の自動車用のワイヤーハーネスを保護するハーネスプロテクタに好適に利用できる。
【００２４】
〔作用効果〕
実施形態１のハーネスプロテクタ１によれば、ベース２とカバー３とを位置決めし易く、ベース２とカバー３との組み付け作業性に優れる。位置決め機構４により、上記開閉方向以外へのベース２とカバー３との相対的な位置ずれを規制できる。それにより、カバー３をベース２の開口部２１に取り付ける際、まず、嵌合突部４１を嵌合壁部４２に挿通させて位置決め機構４付近のベース２とカバー３とを位置決めすることで、ベース２とカバー３とにおける位置決め機構４から離れた箇所の位置決めもできる。そのため、順次、位置決め機構４から離れた箇所に向かって係合爪部５２を挿通孔５３に挿通させて係合枠部５１と係合させることで、ベース２とカバー３とが位置ずれすることなくベース２とカバー３とを組み付けられる。特に、カバー３が薄くて、ハンドリング時に曲がって取り扱い難い場合であっても、カバー３のベース２への組み付け作業が行ない易い。
【００２５】
本発明は、これらの例示に限定されず、特許請求の範囲によって示され、特許請求の範囲と均等の意味および範囲内でのすべての変更が含まれることが意図される。
【符号の説明】
【００２６】
１  ハーネスプロテクタ
２  ベース
２１  開口部
２２  収納空間
２３  底部
２４  側部
３  カバー
３１  天部
３２  側部
４  位置決め機構
４１  嵌合突部
４２  嵌合壁部
５  係合機構
５１  係合枠部
５２  係合爪部
５３  挿通孔
６  取付部
７  補強部
１０  ワイヤーハーネス
【図１】
2019103156.tif 000003
【図２】
2019103156.tif 000004
【図３】
2019103156.tif 000005
【図４】
2019103156.tif 000006
【図５】
2019103156.tif 000007